(57)【要約】【課題】患者のプライベートに配慮しつつ防犯性を向上させることが可能なナースコールシステムを提供する。【解決手段】ナースコール子機２と、ナースコール親機６と、ベッド上の患者を撮像するためのカメラ４と、ナースコール子機２、ナースコール親機６、およびカメラ４の間の通信を制御するナースコール制御機９とを備えるナースコールシステムであって、カメラ４は、ベッド上の患者を撮像するための見守り範囲と、当該患者のベッド周辺を含む範囲であってに当該患者病室内で私的に利用することが可能な利用範囲とを撮像することが可能であり、さらに、利用範囲内において患者が存在するか否かを判別可能な判別部を有し、判別部が利用範囲から患者が不在になると判別した場合、利用範囲の撮像データの記録が開始され、その後、判別部が利用範囲内に患者が存在すると判別した場合、撮像データの記録が停止される。【選択図】図１
2018142044.tif 000002
【特許請求の範囲】
【請求項１】
ナースコール子機と、
ナースコール親機と、
ベッド上の患者を撮像するためのカメラと、
前記ナースコール子機、前記ナースコール親機、および前記カメラの間の通信を制御するナースコール制御機と、
を備えるナースコールシステムであって、
前記カメラは、ベッド上の患者を撮像するための見守り範囲と、当該患者のベッド周辺を含む範囲であって当該患者病室内で私的に利用することが可能な利用範囲とを撮像することが可能であり、
さらに、
前記利用範囲内において前記患者が存在するか否かを判別可能な判別部を有し、
前記判別部が前記利用範囲から前記患者が不在になると判別した場合、前記利用範囲の撮像データの記録が開始され、その後、前記判別部が前記利用範囲内に前記患者が存在すると判別した場合、前記撮像データの記録が停止される、
ナースコールシステム。
【請求項２】
前記カメラは、常時、撮像動作するように制御され、
前記判別部は、前記撮像データを解析することにより、前記利用範囲内に前記患者が存在するか否かを判別するように構成されている、
請求項１に記載のナースコールシステム。
【請求項３】
前記判別部は、前記ベッド上における前記患者の起き上がる動作又は離床する動作を検出したときに、前記利用範囲から前記患者が不在になると判別し、
前記利用範囲の撮像データは、前記起き上がる動作又は前記離床する動作を解析するための撮像データとは、別の保存データとして記録される、
請求項２に記載のナースコールシステム。
【請求項４】
前記判別部が前記利用範囲から前記患者が不在になると判別した場合に、前記カメラによって撮像される範囲が、前記見守り範囲から前記利用範囲に切り替えられる、
請求項１から請求項３のいずれか一項に記載のナースコールシステム。
【請求項５】
更に、前記ベッドの近傍に配置される表示装置を備え、
前記表示装置は、所定の認証処理の後に、記録された前記撮像データを表示することが可能である、
請求項１から請求項４のいずれか一項に記載のナースコールシステム。
【請求項６】
更に、患者の入退院情報又は外出情報が記録された記録部を備え、
前記判別部が前記利用範囲から前記患者が不在になると判別した場合、前記入退院情報又は外出情報が参照されて、前記患者が退院又は外出の予定がある場合には、前記撮像データの記録が開始されないように構成されている、
請求項１から請求項５のいずれか一項に記載のナースコールシステム。
【発明の詳細な説明】
【技術分野】
【０００１】
本発明は、病院等に設置されるナースコールシステムに関するものである。
【背景技術】
【０００２】
病院は、医療従事者だけでなく、見舞い目的の来訪者や外来患者などが不定期に出入りする環境である。一方、病室内では、入院患者が自身のベッド付近に貴重品を放置してしまう場合もあり得る。このように、病院・病室内は、医療従事者による有人監視の状況ではあるものの、盗難が起こり得る環境である。
例えば、特許文献１では、病室内の様子を監視することが可能な監視カメラの技術が提案されている。
【先行技術文献】
【特許文献】
【０００３】
【特許文献１】特開２００２−１３５６３０号公報
【発明の概要】
【発明が解決しようとする課題】
【０００４】
病室内の患者のベッド付近は、患者にとってプライベートが保護されるべき空間であり環境である。しかしながら、従来の防犯カメラを有するナースコールシステムの構成では、患者のプライベートへの配慮に改善の余地があった。
【０００５】
そこで、本発明は、患者のプライベートに配慮しつつ防犯性を向上させることが可能なナースコールシステムを提供することを目的とする。
【課題を解決するための手段】
【０００６】
上記目的を達成するために、本発明のナースコールシステムは、
ナースコール子機と、
ナースコール親機と、
ベッド上の患者を撮像するためのカメラと、
前記ナースコール子機、前記ナースコール親機、および前記カメラの間の通信を制御するナースコール制御機と、
を備えるナースコールシステムであって、
前記カメラは、ベッド上の患者を撮像するための見守り範囲と、当該患者のベッド周辺を含む範囲であって当該患者病室内で私的に利用することが可能な利用範囲とを撮像することが可能であり、
さらに、
前記利用範囲内において前記患者が存在するか否かを判別可能な判別部を有し、
前記判別部が前記利用範囲から前記患者が不在になると判別した場合、前記利用範囲の撮像データの記録が開始され、その後、前記判別部が前記利用範囲内に前記患者が存在すると判別した場合、前記撮像データの記録が停止される。
【０００７】
上記構成によれば、利用範囲の撮像データを常時記録するのでは無く、患者がその患者の利用範囲内に存在するか否かに関する判別結果に基づいて、患者が利用範囲外に存在する場合に、撮像データが記録される。患者が利用範囲外に存在する場合には撮像データが記録されているため、盗難等が有った場合に現場検証等に利用することができる。
また、患者が利用範囲内に存在する場合には、撮像データの記録は停止されるため、患者のプライバシーが侵害される事態が発生することを抑制することができる。
【０００８】
また、本発明のナースコールシステムにおいて、
前記カメラは、常時、撮像動作するように制御され、
前記判別部は、前記撮像データを解析することにより、前記利用範囲内に前記患者が存在するか否かを判別するように構成されていてもよい。
【０００９】
上記構成によれば、例えば、痴呆患者等のための見守り用のカメラを利用して、防犯機能を実現することができる。
【００１０】
また、本発明のナースコールシステムにおいて、
前記判別部は、前記ベッド上における前記患者の起き上がる動作又は離床する動作を検出したときに、前記利用範囲から前記患者が不在になると判別し、
前記利用範囲の撮像データは、前記起き上がる動作又は前記離床する動作を解析するための撮像データとは、別の保存データとして記録されていてもよい。
【００１１】
上記構成によれば、利用範囲の撮像データは、ベッド上の患者の動作（起き上がる動作又は離床する動作）を解析するための撮像データとは別の保存データとして記録される。このため、利用範囲の撮像データが不意に医療従事者等に見られてしまうことを抑制し、患者のプライバシーが侵害される事態が発生することを抑制することができる。
【００１２】
また、本発明のナースコールシステムにおいて、
前記判別部が前記利用範囲から前記患者が不在になると判別した場合に、前記カメラによって撮像される範囲が、前記見守り範囲から前記利用範囲に切り替えられても良い。
【００１３】
上記構成によれば、痴呆患者等のための見守り用のカメラを利用して、防犯機能を実現することができる。
【００１４】
また、本発明のナースコールシステムは、
更に、前記ベッドの近傍に配置される表示装置を備え、
前記表示装置は、所定の認証処理の後に、記録された前記撮像データを表示することが可能であってもよい。
【００１５】
上記構成によれば、患者はベッドの近傍に配置された表示装置を用いて、不在中にカメラで撮像された映像を確認することができる。
【００１６】
また、本発明のナースコールシステムは、
更に、患者の入退院情報又は外出情報が記録された記録部を備え、
前記判別部が前記利用範囲から前記患者が不在になると判別した場合、前記入退院情報又は外出情報が参照されて、前記患者が退院又は外出の予定がある場合には、前記撮像データの記録が開始されないように構成されていてもよい。
【００１７】
上記構成によれば、不要な撮像データが記録されることを抑制することができる。
【発明の効果】
【００１８】
本発明のナースコールシステムによれば、患者のプライベートに配慮しつつ防犯性を向上させることができる。
【図面の簡単な説明】
【００１９】
【図１】本発明の実施形態に係るナースコールシステムの構成図である。
【図２】解除装置の機能ブロック図である。
【図３】ナースコール制御機の機能ブロック図である。
【図４】ナースコールシステムの動作を説明するための図である。
【発明を実施するための形態】
【００２０】
以下、本実施形態の一例について、図面を参照して説明する。
図１に示すように、ナースコールシステム１は、ナースコール子機２と、カメラ３と、表示装置４と、廊下灯５と、ナースコール親機６と、解析装置７と、携帯端末８と、ナースコール制御機９と、構内交換機１０と、ローカル用基地局１１と、管理サーバ１２とを備えている。
【００２１】
ナースコール子機２は伝送線Ｌ１を介して廊下灯５に接続されており、カメラ３は伝送線Ｌ２を介して廊下灯５に接続されており、表示装置４は伝送線Ｌ３を介して廊下灯５に接続されている。ローカル用基地局１１は、伝送線Ｌ４を介して構内交換機９に接続されている。また、各部は、ネットワークＮ（本例では、ＬＡＮ：Local Area Network）を介して通信可能に接続されるとともに、必要に応じてハブ（ＨＵＢ）１５により分配されて接続されている。
【００２２】
ナースコール子機２は、病室内のベッド毎に設置されており、プレート子機２１と、プレート子機２１に着脱可能な握り子機２２とを備えている。プレート子機２１には、医療従事者を呼び出すための呼出ボタンと、通話するためのマイクおよびスピーカとが設けられている。握り子機２２には、医療従事者を呼び出すための呼出ボタンが設けられている。ナースコール子機２は、ネットワークＮ上で用いられる子機番号（子機ＩＤ）を有する。
【００２３】
カメラ３は、ベッド上にいる患者の様子またはベッド周辺にいる患者の様子、あるいは患者が不在なベッド周辺の様子を撮像するためのものであり、病室内の例えばベッド毎に設置されている。カメラ３は、例えばプレート子機２１に埋め込んで設けられていてもよいし、独立して例えば壁などに取り付けられていてもよい。各カメラ３は、それぞれのカメラを特定することが可能なＩＰアドレス（Internet Protocolアドレス）を有する。
【００２４】
表示装置４は、カメラ３で撮像された映像を再生することが可能な装置であり、病室内の例えばベッド毎に設置されている。表示装置４として、例えば患者のバイタルサインをモニタリングするためのベッドサイドモニタが用いられる。表示装置４は、ネットワークＮ上で用いられる表示装置番号（表示装置ＩＤ）を有する。
【００２５】
廊下灯５は、例えば各病室の出入口付近に設置されており、ナースコール子機２を操作した患者の情報を表示する液晶表示部５１と、ナースコール子機２から呼び出しが発せられたことを報知する表示ランプ５２とを備えている。患者の氏名、患者番号（患者ＩＤ）、病室番号、ベッド番号等の患者情報は、カメラのＩＰアドレス、表示装置ＩＤ、ナースコール子機２の子機ＩＤ等と互いに対応付けて廊下灯５の記憶部（図示省略）に記憶されている。
【００２６】
ナースコール親機６は、ナースステーション等に設置されており、呼び出しに応答するためのハンドセット６１と、患者情報が表示される小型モニタ６２と、各患者の詳細情報が一覧表示される大型モニタ６３とを備えている。
【００２７】
解析装置７は、カメラ３で撮像された映像を解析する装置であり、例えばナースステーション等に設置されている。なお、本例では、解析装置７は独立して設けられているが、例えばナースコール制御機内９あるいは廊下灯５内に設けてもよい。
【００２８】
携帯端末８（本例では、携帯端末８ａ〜８ｄ）は、患者が携帯する端末であり、カメラ３で撮像された映像を表示することが可能である。携帯端末８としては、例えばタッチパネル式の表示画面８３を有するとともに、無線通信（例えば、「WiFi」）可能なスマートフォン等が用いられる。携帯端末８は、ネットワークＮ上で用いられる携帯番号（携帯端末ＩＤ）を有する。携帯端末ＩＤは、患者ＩＤ、カメラのＩＰアドレス等と対応付けて廊下灯５の記憶部に記憶されている。
【００２９】
携帯端末８は、病院内に構築されたローカル通信網（ネットワークＮ）を介して携帯端末８とカメラ３とを通信可能に接続する通信モードを有する。この通信モードでは、ローカル用基地局１１を介して無線通信により構内交換機１０と携帯端末８とを接続し、上記携帯端末ＩＤを用いて携帯端末８とカメラ３との間の通信が可能になる。
【００３０】
ナースコール制御機９は、ナースコール子機２、カメラ３、表示装置４、ナースコール親機６、および携帯端末８の間の通信を制御するとともに、各部の動作を制御する。
【００３１】
構内交換機１０（例えば、ＰＢＸ：Private Branch eXchange）は、カメラ３と携帯端末８との通信接続や、ナースコール子機２と携帯端末８との通話接続等を管理するための機器であり、病院内の共用部等に設置されている。ローカル用基地局１１は、携帯端末８との間で無線通信（例えば、WiFi）を行うためのアンテナであり、病院内に所定の間隔で設置されている。
【００３２】
管理サーバ１２は、患者の情報、携帯端末の情報、医療従事者の情報等を含む病院に関する最新の情報を一括して管理するサーバである。
【００３３】
次に、解析装置７の機能について説明する。図２に示すように、解析装置７は、解析装置ＣＰＵ７１と、解析装置ＣＰＵ７１に接続された解析アプリケーション７２、記憶部７３、および解析装置インターフェース回路（以下、インターフェース回路を「Ｉ／Ｆ」と称す）７４とを備えている。
【００３４】
解析アプリケーション７２には、例えばカメラ３で撮像された映像に映る人物がそのベッドに入院している患者であるか否かを判別するための顔認証アプリケーションがインストールされている。また、解析アプリケーション７２には、例えば患者の起き上がる動作および患者の離床する動作を検出するための動作解析アプリケーションがインストールされている。記憶部７３には、患者の顔認証を行うために予め撮像された患者の顔情報が記憶されている。
【００３５】
解析装置ＣＰＵ７１は、解析アプリケーション７２にインストールされているアプリケーションに基づいて、患者の顔認証および患者の動作解析等を行う。解析装置Ｉ／Ｆ７４は、ネットワークＮとの信号伝送路を形成するための通信部を構成する。
【００３６】
次に、ナースコール制御機９の機能について説明する。図３に示すように、ナースコール制御機９は、制御機ＣＰＵ９１と、制御機ＣＰＵ９１に接続された記憶部９２、および制御機Ｉ／Ｆ９３とを備えている。
【００３７】
記憶部９２には、患者情報テーブル９２ａと、動作解析ファイル９２ｂと、不在時映像ファイル９２ｃとが設けられている。
患者情報テーブル９２ａには、患者の氏名、患者ＩＤ、子機ＩＤ、カメラのＩＰアドレス、表示装置ＩＤ、携帯端末ＩＤ、担当看護師（看護師ＩＤ）等の患者情報が相互に対応付けて記憶されている。また、患者情報テーブル９２ａには、各患者の入院日時および退院予定日時等の情報、あるいは外出および外泊の予定日時等の情報が患者ＩＤに対応付けて記憶されている。なお、患者情報テーブル９２ａの各情報は、例えば、管理サーバ１２の情報が更新されるたびに管理サーバ１２から送信されて最新の情報へと更新される。
【００３８】
動作解析ファイル９２ｂには、患者の起き上がる動作および患者の離床する動作を検出するためにカメラ３で撮像された撮像データ、すなわち患者がベッドに居るときに撮像された患者の撮像データが記憶されている。
【００３９】
不在時映像ファイル９２ｃには、患者が病室内で私的に利用することが可能な利用範囲から不在になったときに、カメラ３で撮像された上記利用範囲の撮像データが記憶されている。利用範囲とは、例えば複数の患者が入院している大部屋において、例えばカーテンで仕切ることが可能な領域、すなわち患者の私物を収納しておくことが可能な収納棚やロッカーが置いてあるベッド周辺も含む領域を意味する。
【００４０】
制御機ＣＰＵ９１は、例えば動作解析ファイル９２ｂまたは不在時映像ファイル９２ｃに記憶される撮像データの記録処理を行う。また、患者情報テーブル９２ａに記憶されている患者情報に基づいて各部の接続処理等を行う。制御機Ｉ／Ｆ９３は、ネットワークＮとの信号伝送路を形成するための通信部を構成する。
【００４１】
次に、ナースコールシステム１の動作について図４を参照しつつ説明する。
図４は、例えば四人の患者が入院することが可能な大部屋（例えば１０１号室）内を表している。以下、１０１号室のベッド番号１に入院している患者Ｍを対象とする動作について説明する。
【００４２】
カメラ３ａは、見守り対象の患者Ｍを撮像対象とし、患者Ｍの頭部上方に設置されている。カメラ３ａは、基本的には常時、撮像動作するように、ナースコール制御機９によって制御されている。また、カメラ３ａの撮像範囲は、患者Ｍが居るベッドＡの全体を撮像することが可能な見守り範囲Ｓ１となるように、撮影画角Ｗ１が制御されている。撮影画角Ｗ１は、見守り範囲Ｓ１において、ベッド上の患者が中心として撮像されるように設定されている。
【００４３】
カメラ３ａによって撮像された上記見守り範囲Ｓ１の撮像データＡは、伝送線Ｌ２を介して廊下灯５に送信される。廊下灯５は、撮像データＡを送信したカメラ３ａを識別し、記憶部に記憶されている患者情報を参照して、カメラ３ａのＩＰアドレスを撮像データＡに付加する。ＩＰアドレス付きの撮像データＡは、ネットワークＮを介して、廊下灯５から解析装置７およびナースコール制御機９に送信される。
【００４４】
ナースコール制御機９は、送信されてくる撮像データＡを記録部９２の動作解析ファイル９２ｂに記録する。
【００４５】
解析装置７は、撮像データＡを映像処理して、患者Ｍの顔認証を行った後、患者Ｍの動作解析を行う。顔認証は、カメラ３ａで撮像された人物の顔画像と、記憶部７３に記憶されている患者の顔情報とを比較して行われる。動作解析は、例えば患者ＭがベッドＡ上に伏している状態、上半身を起こした起き上がり状態、ベッドＡから離れた離床状態を検出することにより行われる。
【００４６】
動作解析において、先ず、患者ＭがベッドＡ上に伏している状態は、例えば患者Ａの頭部の位置に基づき判別される。次に、患者Ｍがベッド上に伏した状態から上半身を起こした状態に移行したことが検出されることで、起き上がり動作が発生したと判別される。そして、起き上がり動作が検出された後、患者ＭがベッドＡ上から外方へ移動した（見守り範囲Ｓ１から居なくなった）ことが検出されることで、離床動作が発生したと判別される。離床動作が発生したと判別された場合、その旨を知らせる離床信号が、ネットワークＮを介して、解析装置７からナースコール制御機９に送信される。
【００４７】
離床信号を受信したナースコール制御機９は、カメラ３ａの撮像画角を撮影画角Ｗ２に変更させて、カメラ３ａの撮像範囲を例えば収納棚ＢやロッカーＣが置かれている領域を含むカーテンＤで仕切られる利用範囲Ｓ２に拡大させる。
【００４８】
カメラ３ａによって撮像された上記利用範囲Ｓ２の撮像データＢは、上記と同様に、カメラ３ａのＩＰアドレスが付加され、廊下灯５を介して解析装置７およびナースコール制御機９に送信される。
【００４９】
解析装置７は、撮像データＢを解析して、利用範囲Ｓ２内に患者Ｍが存在しているか否かを判別する。解析装置７は、利用範囲Ｓ２内に患者Ｍが存在しない、すなわち患者Ｍが利用範囲Ｓ２から外方へ移動した（利用範囲Ｓ２から居なくなった）と判別された場合、その旨を知らせる不在信号をナースコール制御機９に送信する。
【００５０】
不在信号を受信したナースコール制御機９は、その後にカメラ３ａから送信されてくる撮像データＢを記録部９２の不在時映像ファイル９２ｃに記録する。
【００５１】
解析装置７は、その後も継続してカメラ３ａで撮像された撮像データＢを解析して、利用範囲Ｓ２内に患者Ｍが存在しているか否かを判別する。そして、解析装置７は、利用範囲Ｓ２内に患者Ｍが存在する、すなわち利用範囲Ｓ２への患者Ｍの進入動作が検出された（利用範囲Ｓ２内に戻ってきた）と判別された場合、その旨を知らせる存在信号をナースコール制御機９に送信する。この場合、患者Ｍが戻ってきてから所定時間（例えば数秒間）経過したときに、患者Ｍが利用範囲Ｓ２内に存在すると確定するようにしてもよい。なお、解析装置７は、利用範囲Ｓ２内に患者Ｍ以外の人物が検出されても存在信号を送信しない。
【００５２】
存在信号を受信したナースコール制御機９は、不在時映像ファイル９２ｃへの撮像データＢの記録を停止する。なお、ナースコール制御機９は、存在信号を受信しない限り、不在時映像ファイル９２ｃへの撮像データＢの記録を継続する。すなわち、利用範囲Ｓ２内に患者Ｍ以外の人物（例えば不審者）が検出された場合には、撮像データＢは不在時映像ファイル９２ｃに記録される。
【００５３】
患者Ｍが不在であった期間に記録された撮像データＢは、例えばベッドＡの近傍に配置されるベッドサイドモニタ４を用いて再生することが可能である。ただし、その場合、例えば患者認証アプリケーションを用いて、患者ＩＤ認証等の所定の認証処理が行われた後に、上記撮像データＢがベッドサイドモニタ４に再生されるようにしてもよい。なお、患者Ｍが不在のときに撮像された撮像データＢは、ナースコール制御機９の不在時映像ファイル９２ｃに記録されているが、例えばベッドサイドモニタ４、ナースコール親機６、廊下灯５、管理サーバ１２のいずれかに記録されるようにしてもよい。
【００５４】
なお、上記形態では、患者Ｍの離床動作が検出された後にカメラ３ａの撮像範囲を利用範囲Ｓ２に変更し、その後、利用範囲Ｓ２から患者Ｍが居なくなった場合に撮像データＢを不在時映像ファイル９２ｃに記録しているがこれに限定されない。
例えば、患者Ｍの離床動作が検出された後、所定時間（例えば数秒間）経過しても見守り範囲Ｓ１内に患者Ｍが戻って来なかった場合に、利用範囲Ｓ２から患者が不在になったと判別して、カメラ３ａの撮像範囲を見守り範囲Ｓ１から利用範囲Ｓ２に変更して撮像データＢの記録を開始するようにしてもよい。なお、カメラ３ａの撮像範囲を見守り範囲Ｓ１から利用範囲Ｓ２に切り替えた際に、患者が利用範囲Ｓ２内に存在した場合は、撮像データＢの記録を開始しなくて良い。
【００５５】
また、例えば、患者Ｍの離床動作が検出されたことをもって、患者Ｍが利用範囲Ｓ２から不在になると判別し、カメラ３ａの撮像範囲を見守り範囲Ｓ１から利用範囲Ｓ２に変更して撮像データＢの記録を開始するようにしてもよい。また、例えば、患者Ｍの起き上がり動作が検出されたことをもって、患者Ｍが利用範囲Ｓ２から不在になると判別し、カメラ３ａの撮像範囲を見守り範囲Ｓ１から利用範囲Ｓ２に変更して撮像データＢの記録を開始するようにしてもよい。
【００５６】
また、患者Ｍの離床動作が検出された後にカメラ３ａの撮像範囲を見守り範囲Ｓ１から利用範囲Ｓ２に変更するのではなく、例えば、患者Ｍの起き上がり動作が検出された後にカメラ３ａの撮像範囲を見守り範囲Ｓ１から利用範囲Ｓ２に変更するようにしてもよい。
【００５７】
また、カメラ３ａの撮像範囲を見守り範囲Ｓ１から利用範囲Ｓ２に変更せずに、最初から利用範囲Ｓ２に設定しておいて、利用範囲Ｓ２から患者Ｍが居なくなった場合に撮像データＢを不在時映像ファイル９２ｃに記録するようにしてもよい。
【００５８】
また、上記形態では、撮像データを撮像するカメラ３ａと撮像データを解析する解析装置７とを用いて、患者Ｍが利用範囲Ｓ２に存在するか否かの判別を行っているが、これに限定されず以下のような方法で判別するようにしてもよい。
例えば、ベッドＡの周囲に設置したマットセンサーＥ（図４参照）を用いてもよい。マットセンサーＥへの荷重を検知して患者Ｍの離床動作を検出し、患者Ｍが利用範囲Ｓ２から不在になると判別してもよい。
【００５９】
また、例えば、ナースコール制御機９の患者情報テーブル９２ａに記憶されている患者の入退院情報や外出外泊情報等を、下記のように用いても良い。利用範囲Ｓ２から患者Ｍが不在になったと判別された場合、あるいは患者Ｍが利用範囲Ｓ２から不在になると判別された場合、さらに患者Ｍの入退院情報や外出外泊情報等を参照して上記記録の動作を行うか否かを確定するようにしてもよい。例えば、患者Ｍが退院、外出、および外泊の予定がある場合には、撮像データＢを不在時映像ファイル９２ｃに記録しないようにしてもよい。
【００６０】
上記構成のナースコールシステム１によれば、病室における患者Ｍの利用範囲Ｓ２内に患者Ｍが存在しているか否かを判別し、患者Ｍが利用範囲Ｓ２外に存在する場合に、利用範囲Ｓ２の映像が撮像され、その撮像データＢが記録される。このため、例えば盗難等が有った場合、撮像された利用範囲Ｓ２の撮像データＢを現場検証等に利用することができる。また、患者Ｍが利用範囲Ｓ２内に存在する場合には、利用範囲Ｓ２の撮像データＢの記録は停止されるため、患者Ｍのプライバシーが侵害される事態が発生することを抑制することができる。
【００６１】
また、例えば、痴呆患者等を見守るために使用していたカメラを、防犯機能を実現するためのカメラ３ａとして兼用することができる。
【００６２】
また、患者Ｍが不在のときに撮像された利用範囲Ｓ２の撮像データＢは、ベッドＡ上の患者Ｍの動作を解析するために撮像された見守り範囲Ｓ１の撮像データＡとは別の保存データ（不在時映像ファイル９２ｃと動作解析ファイル９２ｂ）として記録される。このため、利用範囲Ｓ２の撮像データＢが不意に医療従事者等に見られてしまうことを抑制し、患者Ｍのプライバシーが侵害される事態が発生することを抑制することができる。
【００６３】
また、患者Ｍが不在中にカメラ３ａで撮像された映像を再生するには所定の認証処理が必要であるため、さらに患者Ｍのプライバシーが侵害される事態が発生することを抑制することができる。なお、認証処理は、暗号番号などを用いる方式でも良い。
【００６４】
また、カメラ３ａによって例えばベッドＡの脇の荷物置き場（収納棚ＢやロッカーＣがある領域）等を中心とする範囲を撮像して記録することができる。
【００６５】
また、撮像された利用範囲Ｓ２の撮像データＢを記録する際に、映像の解析結果だけでなく、さらに患者Ｍの入退院情報や外出外泊情報等を参照して、記録動作を実行するか否かを決定している。このため、不要な撮像データＢが記録されることを抑制することができる。
【００６６】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００６７】
１：ナースコールシステム、２：ナースコール子機、３（３ａ）：カメラ、４：表示装置、５：廊下灯、６：ナースコール親機、７：解析装置、８（８ａ〜８ｄ）：携帯端末、９：ナースコール制御機、１０：構内交換機、１１：ローカル用基地局、９２：記憶部、９２ａ：患者情報テーブル、９２ｂ：動作解析ファイル、９２ｃ：不在時映像ファイル、Ｓ１：見守り範囲、Ｓ２：利用範囲
【図１】
2018142044.tif 000003
【図２】
2018142044.tif 000004
【図３】
2018142044.tif 000005
【図４】
2018142044.tif 000006